(57)【要約】      （修正有）【課題】壁に嵌め込むタイプの固定装置を提供する。【解決手段】ケース体１２０は、壁内に埋設するために用いられており、開口部１２２および収納スペース１２４を有する。コンセント１４０はケース体上に配置されており、収納スペースの中にある。ネットワークブリッジは、開口部から収納スペースに入れ置かれ、ケース体と同時に壁内に埋設される。コンセント１４０は、ネットワークブリッジに電気的に接続されて、ネットワークブリッジを電力線ネットワークＰＬに接続させる。【選択図】図１
0003142949.tif 000002
【実用新案登録請求の範囲】
【請求項１】
電力線通信におけるネットワークブリッジに用いられる、壁に嵌め込むタイプの固定装置であって、  ケース体と、  少なくとも一つのコンセントと、を備えており、  前記ケース体は、壁内に埋設するために用いられており、開口部および収納スペースを有し、前記ネットワークブリッジは、前記開口部から前記収納スペースの中に入れ置かれ、前記ケース体と共に埋設され、  前記コンセントは、前記ケース体に配置されており、前記収納スペースの中に位置し、前記コンセントが前記ネットワークブリッジに電気的に接続されて、前記ネットワークブリッジを電力線通信ネットワークに接続させるものである、固定装置。
【請求項２】
前記開口部が前記壁の一壁面に面一である、請求項１に記載の固定装置。
【請求項３】
前記ケース体が底面および複数の側面を含み、前記側面が前記底面に連接されて前記収納スペースおよび前記開口部を形成する、請求項１に記載の固定装置。
【請求項４】
前記ケース体が４つの前記側面を含む、請求項３に記載の固定装置。
【請求項５】
前記コンセントが前記底面上に配置される、請求項３に記載の固定装置。
【請求項６】
前記コンセントが下側の前記側面上に配置される、請求項３に記載の固定装置。
【請求項７】
前記コンセントが、回転可能な方式で前記ケース体の中に設けられる、請求項１に記載の固定装置。
【請求項８】
前記コンセントが前記ケース体に対して回転することができるように、前記コンセントと前記ケース体を連接するために用いられる回転枢軸をさらに含む、請求項７に記載の固定装置。
【請求項９】
前記コンセントが滑動可能な方式で前記ケース体の中に設けられる、請求項１に記載の固定装置。
【請求項１０】
前記コンセントがケース体に対して滑動できるように、前記コンセントおよび前記ケース体を連接するために用いられるスライドアセンブリをさらに含む、請求項９に記載の固定装置。
【請求項１１】
前記スライドアセンブリが滑動板および２つのスライド溝を含んでおり、  前記２つのスライド溝は前記ケース体内に固定され、  前記滑動板は、二辺が前記２つのスライド溝内にそれぞれ入って、前記ケース体に対して滑動し、  前記コンセントは前記滑動板に設けられる、請求項１０に記載の固定装置。
【考案の詳細な説明】
【技術分野】
【０００１】  本考案は、固定装置に関し、特に壁に嵌め込むタイプの固定装置に関する。
【背景技術】
【０００２】  昨今の情報化時代において、日常生活においても仕事においても、ネットワークの使用が切り離せないものとなっている。そのため、職場環境または居住環境において、多くのネットワークケーブル、ハブ、モデムなどを別途配置する必要がよくある。そこで、多くのネットワークケーブル、ハブ、モデムなどを配置することによって、環境の美観に影響を与えることを避けるために、既存の電力線を利用してネットワークパケットなどの情報を搬送する技術が開発されている。【０００３】  多くのネットワークケーブル、ハブ、モデムなどを配置する必要のある通常のネットワーク接続方式とは異なり、電力線搬送通信（Ｐｏｗｅｒ  ｌｉｎｅ  ｃｏｍｍｕｎｉｃａｔｉｏｎ，ＰＬＣ）は、ブリッジを介して通信信号を電力信号の中に流し、電力線によって搬送して、ネットワークに接続させている。ブリッジをコンセントに接続し、ブリッジ、ネットワークケーブルおよびネットワークへのアクセス装置（モデムなど）を相互に接続するだけで、屋内のどの場所でもネットワークに接続することが可能である。屋内の景観に影響を及ぼすことなく、各情報家電機器をすぐにネットワークに接続することが可能となるため、ユーザにとって非常に便利である。
【考案の開示】
【考案が解決しようとする課題】
【０００４】  家庭の電力線を利用して通信信号を搬送することを例に挙げると、ほとんどのユーザは、電力線を利用して通信信号を伝送する際に、ブリッジのコネクタを家庭用コンセントに直接差し込むだけでよい。但し、一般の家庭用コンセントは壁面にあるため、ブリッジをコンセントに固定すると、ブリッジが壁面にぶら下がり、安定性が十分ではないように感じられる。さらに、コンセントとブリッジの間の結合だけによって、ブリッジを壁に固定しているため、不注意によりブリッジに触れると、ブリッジとコンセントが僅かに緩んでしまうか、かつ／またはブリッジが壁から外れてしまい、いずれの場合でも通信信号の接続が切断されて、ユーザの操作に影響がもたらされる。また、ブリッジが高所のコンセントから落下した場合は、大きな力で床にぶつかり、ブリッジが破損してしまうであろう。
【課題を解決するための手段】
【０００５】  本考案は、ネットワークブリッジが壁面にぶら下がることを防止することによって、ネットワークブリッジが破損する可能性を下げる、壁に嵌め込むタイプの固定装置に関する。【０００６】  本考案は、ケース体と少なくとも１つのコンセントとを備えた、壁に嵌め込むタイプの固定装置を提供する。ケース体は、壁内に埋設するために用いられ、開口部および収納スペースを有する。コンセントは、ケース体上に配置されており、収納スペースの中にある。ネットワークブリッジは、開口部から収納スペースの中に入れ置かれ、ケース体と同時に壁内に埋設される。コンセントは、ネットワークブリッジに電気的に接続されて、ネットワークブリッジを電力線ネットワークに接続させる。【０００７】  本考案の上記内容をさらに明確にし、分かりやすくするために、以下、比較的優れた実施形態を挙げて、図面を参照しながら、詳細に説明する。
【考案を実施するための最良の形態】
【０００８】  図１〜２において、図１は、本考案の比較的優れた実施形態による壁に嵌め込むタイプの固定装置の概略図であり、図２は、ネットワークブリッジの概略図である。図１〜２に示すように、電力線通信に用いられる壁に嵌め込むタイプの固定装置１００は、ケース体１２０と少なくとも１つのコンセント１４０とを含む。ケース体１２０は、開口部１２２と収容スペース１２４とを有する。コンセント１４０は、ケース体１２０上に配置されており、収納スペース１２４の中にある。インターネット通信に用いられるネットワークブリッジ２００は、開口部１２２から収納スペース１２４に入れ置かれ、ケース体１２０と共に壁３００（図３を参照）内に埋設される。コンセント１４０はネットワークブリッジ２００と電気的に接続して、ネットワークブリッジ２００を電力線ネットワークＰＬに接続する。【０００９】  壁に嵌め込むタイプの固定装置１００およびネットワークブリッジ２００は、壁内に構築した一つの電力線通信装置とすることができる。図３は、ネットワークブリッジを装着した図１の壁に嵌め込むタイプの固定装置の概略図である。図３に示すように、ケース体１２０の開口部１２２は、壁３００の壁面３００Ａと面一になっている。そのため、ネットワークブリッジ２００が壁に嵌め込むタイプの固定装置１００の中に設置されると、ネットワークブリッジ２００も壁面３００Ａと面一になり、壁面３００Ａにぶら下がっているのではない。しかし、実際の応用においては、ネットワークブリッジ２００と壁に嵌め込むタイプの固定装置１００との設計はこれらに限定されるものではない。例えば、ネットワークブリッジ２００全体を壁に嵌め込むタイプの固定装置１００の中に埋め込み、蓋体（図示せず）でケース体１２０の開口部１２４を覆うことも可能である。これによって、ユーザは、ネットワークブリッジ２００を使用するときに、カバーを外すか、開けるだけでよい。【００１０】  本実施形態のケース体１２０は、例えば四角い箱であり、ケース体１２０は底面と複数の側面とを有し、これらの側面は底面に連接されて、ケース体１２０内部の収容スペース１２４を構成している。図１に示すように、ケース体１２０は底面１２９と４つの側面１２５〜１２８とを有する。コンセント１４０は、例えば下側の側面１２８に位置する。但し、本考案のコンセント１４０の位置はこれに限定されるものではなく、コンセント１４０は底面１２９または他の側面１２５、１２６、１２７に位置することも可能である。コンセント１４０は、２つの差込口１４１および１４３を含む。【００１１】  本実施形態のネットワークブリッジ２００は、電力線搬送通信（Ｐｏｗｅｒ  ｌｉｎｅ  ｃｏｍｍｕｎｉｃａｔｉｏｎ，ＰＬＣ）のネットワークブリッジであり、コネクタ２１０を有する。コネクタ２１０はネットワークブリッジ２００の下側面にあり、２つのピン２１１および２１３を含む。２つのピン２１１および２１３は、それぞれコンセント１４０の２つの差込口１４１および１４３の中に差し込むために用いられる。ネットワークブリッジ２００のコネクタ２１０は、壁に嵌め込むタイプの固定装置１００のコンセント１４０に差し込まれ、ネットワークブリッジ２００は、壁に嵌め込むタイプの固定装置１００のケース体１２０の中に立設される。また、ネットワークブリッジ２００は、ネットワークケーブルによって、ネットワークへのアクセス装置またはネットワーク機能を有するコンピュータに接続することができる。また、ネットワークブリッジ２００は、ワイヤレス方式でネットワークへのアクセス装置と接続することができる。本実施形態では、一つのネットワークポート２３０を有するネットワークブリッジ２００を例に挙げて説明する。上記ネットワークポート２３０は（例えばＲＪ４５ポートである）、ネットワークブリッジ２００が通信信号を送受信できるように、ネットワークケーブルを繋げるために用いられる。【００１２】  また、ネットワークブリッジ２００は、例えばコンセント２４１および２４３などの他の電源コンセントを含むこともでき、ネットワークブリッジ２００にネットワーク接続機能をもたせるだけでなく、電源をその他の電子装置に供給することも可能である。【００１３】  図１のコンセント１４０は、下側の側面１２８に凸設されているが、その他の実施形態において、コンセント１４０をケース体１２０に直接嵌め込んで、側面１２８と面一にすることもできる。また、側面１２８の凹み口の中にコンセント１４０を設け、そのコンセント１４０にネットワークブリッジ２００のコネクタ２１０を結合すると、完全に収納された状態となる。これは、ケース体１２０内に無駄なスペースを作らないだけでなく、壁に嵌め込むタイプの固定装置１００がネットワークブリッジ２００に結合されると、比較的優れた外観をもたせる。【００１４】  図４Ａ〜４Ｂにおいて、図４Ａは、３つのピンおよびワイヤレス通信ユニットを有するネットワークブリッジの概略図であり、図４Ｂは、壁に嵌め込むタイプの固定装置内に設けた図４Ａのネットワークブリッジの概略図である。２つのピンを有する図２のネットワークブリッジ２００の設計とは異なり、図４Ａのネットワークブリッジ４００のコネクタ４１０は３つのピン４１１、４１３および４１５を有する。この３つのピンのコネクタ４１０の設計は、ユーザがネットワークブリッジ４００を異なる用途の他のコンセントに差すことを防止するために、注意を促す機能を提供するためのものである。もちろん、図１のコンセント１４０を３つのピンのコネクタ４１０の設計に合わせて、差込口の数を変更する必要がある。【００１５】  また、ネットワークブリッジ４００はワイヤレス通信ユニット４３０を有する。このワイヤレス通信ユニット４３０はアンテナモジュールとすることができ、上記ＲＪ４５ポートによるネットワークケーブルへの接続に代わって、ネットワークブリッジ４００がワイヤレス方式でネットワークへのアクセス装置に接続できるようにする。ワイヤレス通信ユニット４３０は、例えば回転可能な方法でネットワークブリッジ４００の本体に設けられる。したがって、ネットワークブリッジ４００を操作するとき、ワイヤレス通信ユニット４３０の配置角度を調整することにより、ネットワークブリッジ４００に比較的優れた信号送受信効果をもたせることができる。【００１６】  上記コンセント１４０は、ケース体１２０内に固定されるものとして説明したが、その他の実��形態において、コンセント１４０を可動式コンセントとして設計することもでき（例えば、回転可能な、または滑動可能な方式でケース体１２０に設けられる）、ユーザの操作にさらなる融通性をもたせることができる。【００１７】  図５Ａ〜５Ｂにおいて、図５Ａは、回転枢軸でケース体に連設されているコンセントの概略図であり、図５Ｂは、ネットワークブリッジを装着した図５Ａのコンセントの概略図である。図５Ｃは図５Ｂのコンセントとネットワークブリッジを結合した後の概略図である。コンセント１４０は凹み口１４０Ａの中に配置されており、かつコンセント１４０は回転枢軸１５０によってケース体１２０に連設されている。ネットワークブリッジ２００を装着するとき、先ず回転枢軸１５０を中心としてコンセント１４０をある角度分、外側へ回し出し、次にネットワークブリッジ２００のコネクタ２１０を凹み口１４０Ａの中に入れて、コンセント１４０に接続させることにより、ネットワークブリッジ２００を電力線ネットワークＰＬに接続させる。続いて、ネットワークブリッジ２００をケース体１２０の内方向に回し入れると、ネットワークブリッジ２００を収容スペース１２４の中に固定することができる。コンセント１４０が凹み口１４０Ａの中に位置するため、ネットワークブリッジ２００とコンセント１４０が結合されると、図５Ｃに示すように、完璧に収納された状態となる。【００１８】  また、図６Ａ〜６Ｂにおいて、図６Ａは、スライドアセンブリでケース体に連設されたコンセントの概略図であり、図６Ｂは、ネットワークブリッジを装着した図６Ａのコンセントの概略図である。コンセント１４０は、スライドアセンブリ１６０によってケース体１２０に連設されている。スライドアセンブリ１６０は、滑動板１６１および２つのスライド溝１６３、１６５を含む。スライド溝１６３、１６５はケース体１２０内に固定されており、滑動板１６１の二辺はスライド溝１６３、１６５の中に入られ、滑動板１６１をケース体１２０に対して移動できるようにする。コンセント１４０は、滑動板１６１に設けられており、さらに、コンセント１４０は滑動板１６１の中に嵌め込まれている。ネットワークブリッジ２００を装着するとき、まず滑動板１６１を引き出してから、ネットワークブリッジ２００を装着する。ネットワークブリッジ２００の装着が完了すると、滑動板１６１をネットワークブリッジ２００と一緒にケース体１２０の中に押し入れる。コンセント１４０は、滑動板１６１上に凸設されてもよく（図１の形を参照）、滑動板１６１の凹み口の中に位置してもよい（図５Ｂの形を参照）。【００１９】  また、他のモジュール設計におけるネットワークブリッジにあるネットワークポートの位置は、必ずしもネットワークブリッジ２００のネットワークポート２３０と同様にネットワークブリッジ２００の正面２００Ａに位置するとは限らず、例えば、横側２００Ｂに位置する。このようなスライドアセンブリ１６０を有する壁に嵌め込むタイプの固定装置は、多くの異なるモジュール設計におけるネットワークブリッジに適用することが可能である。【００２０】  壁に嵌め込むタイプの固定装置１００は、建物の建設中において、建物の内部空間の配置および電力線の配線に基づいて、壁に嵌め込むタイプの固定装置１００の装着位置を決定することができる。さらに、壁に嵌め込むタイプの固定装置１００の装着中において、壁に嵌め込むタイプの固定装置１００上のコンセント１４０を建物内部に配線した電力線に接続する。壁に嵌め込むタイプの固定装置１００は、壁内に埋設されるため、ネットワークブリッジ２００をこの固定装置１００に装着すると、当初の建物内部の景観に影響を及ぼすことなく、電力線通信ネットワークでネットワークへのアクセス機能をユーザに提供することができる。もちろん、ユーザは、家庭内ＬＡＮの方式で各情報家電機器を接続することができ、リモートコントロールの目的を達成することができる。【００２１】  また、ネットワークブリッジを直接プラグに差し込む従来の固定方法に比べて、本実施形態の壁に嵌め込むタイプの固定装置１００は、ネットワークブリッジをしっかりと壁の中に固定することにより、ネットワークブリッジが脱落してネットワークブリッジが破損するか、または通信信号が切断される問題の発生を防止することができる。また、ネットワークブリッジが回転枢軸またはスライドアセンブリを介して壁に嵌め込むタイプの固定装置１００の中に装着されるため、ネットワークブリッジの使用がさらに便利になる。【００２２】  本考案の上記実施形態で開示された壁に嵌め込むタイプの固定装置は、コンセントを有する固定装置を壁内に埋設して、ネットワークブリッジを収納し、コンセントによってネットワークブリッジを電力線通信ネットワークに接続している。電力線通信ネットワークによって、多くのネットワークケーブルの配置を省くことができるだけでなく、ネットワークブリッジが固定装置と一緒に壁内に埋設されるため、ネットワークブリッジの使用を安定させることができる。【００２３】  以上、上記のように比較的優れた実施形態もって本考案を開示したが、本考案を限定するためのものではない。本考案が属する技術分野の当業者は、本考案の主旨と範囲を逸脱することなく、各種の変更と修飾を行うことができるであろう。そのため、本考案の保護範囲は、「実用新案登録請求の範囲」で定義したものを基準とする。
【図面の簡単な説明】
【００２４】
【図１】本考案の比較的優れた実施形態による、壁に嵌め込むタイプの固定装置の概略図である。
【図２】ネットワークブリッジの概略図である。
【図３】ネットワークブリッジを装着した図１の壁に嵌め込むタイプの固定装置の概略図である。
【図４Ａ】３ピンおよびワイヤレス通信ユニットを有するネットワークブリッジの概略図である。
【図４Ｂ】壁に嵌め込むタイプの固定装置内に設けられた図４Ａのネットワークブリッジの概略図である。
【図５Ａ】回転枢軸でケース体に連結されているコンセントの概略図である。
【図５Ｂ】ネットワークブリッジを装着した図５Ａのコンセントの概略図である。
【図５Ｃ】図５Ｂのコンセントとネットワークブリッジが結合された後の概略図である。
【図６Ａ】スライドアセンブリでケース体に接続されているコンセントの概略図である。
【図６Ｂ】ネットワークブリッジを装着した図６Ａのコンセントの概略図である。
【符号の説明】
【００２５】  １００…壁に嵌め込むタイプの固定装置、１２０…ケース体、１２２…開口部、１２４…収容スペース、１２５〜１２８…側面、１２９…底面、１４０、２４１、２４３…コンセント、１４０Ａ…凹み口、１４１、１４３…差込口、１５０…回転枢軸、１６０…スライドアセンブリ、１６１…滑動板、１６３、１６５…スライド溝、２００、４００…ネットワークブリッジ、２００Ａ…正面、２００Ｂ…横側、２１０、４１０…コネクタ、２１１、２１３、４１１、４１３、４１５…ピン、２３０…ネットワークポート、３００…壁、３００Ａ…壁面、４３０…ワイヤレス通信ユニット、ＰＬ…電力線ネットワーク
【図１】
0003142949.tif 000003
【図２】
0003142949.tif 000004
【図３】
0003142949.tif 000005
【図４Ａ】
0003142949.tif 000006
【図４Ｂ】
0003142949.tif 000007
【図５Ａ】
0003142949.tif 000008
【図５Ｂ】
0003142949.tif 000009
【図５Ｃ】
0003142949.tif 000010
【図６Ａ】
0003142949.tif 000011
【図６Ｂ】
0003142949.tif 000012